(57)【要約】【課題】グラス等の外壁に付着し流下する結露水を確実に収水することにより、テーブル上に結露水がこぼれ出ることを防止することが可能なコースターを提供することを目的とする。【解決手段】容器を載置するための容器載置部と、この容器載置部から落下する結露水を収水するために容器載置部の下に配置された収水部とで構成されたコースターであり、容器載置部を収水部に収水された結露水には直接浸潤されない高さに配置することにより前記容器載置部を常にドライの状態に保ち、これによりコースターと容器が結露水により相互に吸着するのを防止して使い勝手を向上させる【選択図】図１
2012196251.tif 000002
【特許請求の範囲】
【請求項１】
容器の外壁に生じた結露水を収水するためのコースターにおいて、容器を載置するための容器載置部と、該容器載置部から落下する結露水を収水するために該容器載置部の下に配置された収水部とで構成されたコースターであり、前記容器載置部を前記収水部に収水された結露水には直接浸潤されない高さに配置することにより前記容器載置部を常にドライの状態に保ち、該コースターと容器が結露水により相互に吸着するのを防止して使い勝手が向上するように構成されると共に、前記収水部は収水された結露水のための大きなスペース容量を確保することにより結露水が該コースターの外に漏れ出るのを確実に防止するように構成され、更に前記容器載置部と前記収水部は、相互に着脱自在に構成されたことを特徴とするコースター。
【請求項２】
更に前記容器載置部と該容器載置部の下に配置された前記収水部とを連結するヒンジを設け、該ヒンジにより前記容器載置部が前記収水部に対して開口可能となり、前記容器載置部、前記収水部、および前記ヒンジは、全てプラスチック素材で一体成型することにより、開口時に洗浄して再使用可能となるように構成されことを特徴とする請求項１記載のコースター。
【請求項３】
前記容器載置部は、すり鉢状の形状を有し、該すり鉢形状の容器載置部には複数個の突起状の容器載置列がすり鉢中央方向に配置されており、該突起状の容器載置列と載置される容器を点接触させることにより、該コースターと容器が結露水により相互に吸着するのを防止して使い勝手が向上するように構成されたことを特徴とする請求項１ないし２記載のコースター。
【請求項４】
前記容器載置部は、すり鉢状の形状を有し、該すり鉢形状の容器載置部には寸法の異なる複数個のリング形状の容器載置面を配置するか、又は前記容器載置部は平面メッシュ形状で構成し、容器と前記容器載置部の接触面を線接触させることで、容器内の液体温度の熱伝導ロスを最少化させることが可能となり、更に容器とコースター相互間の吸着力が最小になるように構成されたことを特徴とする請求項１ないし２記載のコースター。
【発明の詳細な説明】
【技術分野】
【０００１】
本願発明はコースターに関し、特に、コースター上に例えば氷入りドリンクを入れたグラス等が載置された場合、そのグラスの外壁に付着し流下する結露水を確実に収水することによりテーブル上に結露水がこぼれ出ることを防止し、更にコースターとグラスが結露水により相互に吸着するのを防止する非吸水性素材で構成した再使用可能なコースターに関するものである。なお、本明細書において「コースター」とは、通常のコースターに加えて、茶托、洗面台のグラス置きなど任意の物体の下に敷いて使用する略板状の部材を含むものとする。
【背景技術】
【０００２】
従来技術に係るコースターにおいて、上記結露水の収水およびコースターのグラスへの吸着防止という技術的課題を、大別してコースター自体の材質または構造により解決を図っている。
【０００３】
前者のコースター自体の新規材質によって上記技術的課題を解決しようとする従来技術については、例えば引例１として特開２０００−１３９６６５が存在する。この引例１では、吸水性を有する多孔質の陶磁器を板状に形成し、上面の全部又は一部に陶磁器の地肌を露出させるようにしたコースターが開示されている。しかしながらこの構成では、前記吸水性を有する多孔質の陶磁器の収水容量が少なく、このためコースター上に載置したグラスの外壁に付着し外壁に沿って流下する結露水を十分吸水し、周囲にこぼさないというコースター本来の機能が劣るという問題があった。
【０００４】
次に後者のコースター自体の新規構造によって上記技術的課題を解決しようとする従来技術については、例えば以下の引例２から引例５がある。
【０００５】
引例２としての特開２０００−３４２４２４では、コースター裏面をテーブル表面に吸着させる機能およびコースター表面に設けた突起によるグラス底面とコースター表面間の接触面積減少の二つの機能により、コースター上に載置したグラスを空中へ持ち上げた際にグラス底面にコースターが吸着してテーブル面からグラスと共に持ち上がってしまう技術的課題を解決するコースターが開示されている。しかしながら、このコースターのグラスへの吸着防止については、コースターとテーブルの間に十分な吸着力を得るには定格以上の荷重がかかることが必須条件とされており、すべてのグラス等の容器および内容物の重量が定格以上の荷重を有するわけではなく、確実性に欠ける。結露水の処理の問題もある。収水した結露水はコースター表面の開放面に貯留されるため、テーブル表面に吸着したコースターを一時的であっても移動させるために形状を変形させてテーブル面から引き剥がす際に、収水した結露水を飛び散らしてしまうという問題がある。
【０００６】
引例３としての特開２００９−８９８７０では、グラスに着脱可能なコースターが開示されている。グラス表面に生じる結露水をグラス底部と接するコースター内に収水する。大量に発生した結露水を収水した状態では、グラス内の液体を飲むために空中に持ち上げてグラスを傾斜した際に、収水した結露水がコースターの淵よりまとまって滴り落ちる不具合がある。さらに底にシート状のグラスの結露水を吸水することができる吸水材が配置されているが、この吸水材については新規な構成は開示されていないため、その吸水容量はごく限定されたものでしかないという問題がある。
【０００７】
引例４としての特開２００１−４６２１１では、表面に凹部が形成された基台と、前記凹部に収容される小片を接着剤にて固着させた保水部材とで構成されるコースターが開示されている。しかしながら、この構成では、収水した結露水を保水する小片群が複雑な立体構造をもって一体化しているため、使用後にコースターを十分に洗浄することが困難な上に完全に小片群の隙間まで乾燥するのに時間がかかり、コースター内にカビなどの雑菌が発生しやすく、発生した雑菌を滅菌することが困難であるという問題がある。
【０００８】
引例５としての特開平１１−３３２７２１では、プラスチック等の材質を用いた受皿と、この受け皿の上に直接置いた網目の水きり部分で構成したコースターが開示されている。すなわち水きり部分を網目にする事で結露水の切れを良くし、紙コースターの様にグラス底面にコースターが付着することを防ぎ、受皿に結露水を収水することで結露水がテーブルにこぼれるのを防いでいる。しかしながら、受け皿上に直接載置された網目の水きり部分によって、不可避的にその保水容量が減少するという問題があった。また、網目の水きり部分を平面で構成しているため、広い底面積を持つグラスの場合、グラス底面の外縁部だけでなく内面部もコースターの上の網目部と広い面積で接することとなり、グラスを持ち上げた時にグラスとコースターが吸着する恐れがある。更に、グラスとコースターの接触面積が大きいということはグラスからコースターへ熱伝導が無視できず、コースター自体の温度低下を招いてコースター自体から結露水が発生してしまう可能性がある。更にこの引例５の構成では、網目の水切り部分が、結露水に常に浸潤されるために不潔になりなり易く、また網目の水切り部分の細部は洗浄し難いという問題がある。
【先行技術文献】
【特許文献】
【０００９】
【特許文献１】特開２０００−１３９６６５号公報
【特許文献２】特開２０００−３４２４２４号公報
【特許文献３】特開２００９−８９８７０号公報
【特許文献４】特開２００１−４６２１１号公報
【特許文献５】特開平１１−３３２７２１号公報
【発明の概要】
【発明が解決しようとする課題】
【００１０】
上述の従来技術に係るコースターが有する諸問題を解決するために本願発明は、グラス等の外壁に付着し流下する結露水を確実に収水することにより、テーブル上に結露水がこぼれ出ることを防止することが可能なコースターを提供することを目的とする。更に本願発明は、コースターとグラス間の接触面積をグラスのサイズによらず最小とすることで、コースターとグラスが結露水により相互に吸着するのを防止すると共にコースター自体の温度低下を最小限とすることでコースター自体が結露水を発生することを防ぐ、使い勝手のよいコースターを提供することを目的とする。更にまた本願発明は、非吸水性素材で構成することで、洗浄容易で清潔かつ再使用可能なコースターを提供することを目的とする。更にまた本願発明は、プラスチック素材等で一体成型して安価に製造可能なコースターを提供することを目的とする。
【課題を解決するための手段】
【００１１】
本願発明に係るコースターは、容器の外壁に生じた結露水を収水するためのコースターであって、容器を載置するための容器載置部と、この容器載置部から落下する結露水を収水するために容器載置部の下に配置された収水部とで構成されたコースターであり、容器載置部を収水部に収水された結露水には直接浸潤されない高さに配置することにより前記容器載置部を常にドライの状態に保ち、これによりコースターと容器が結露水により相互に吸着するのを防止して使い勝手が向上するように構成されると共に、収水部は収水された結露水のための大きなスペース容量を確保することにより結露水がコースターの外に漏れ出るのを確実に防止するように構成され、更に容器載置部と収水部は、相互に着脱自在に構成されたことを特徴とするコースターを開示する。
【００１２】
このように構成したコースターでは、従来のコースターのように結露水がコースターから溢れ出てテーブル等を濡らすこともなく常にドライの状態を保持でき、このためコースターと容器が結露水により相互に吸着せず、更に容器載置部と収水部は相互に着脱自在に構成されているので、洗浄して清潔に使用することが可能である。
【００１３】
更に本願発明に係るコースターでは、容器載置部と容器載置部の下に配置された収水部とを連結するヒンジを設け、このヒンジにより容器載置部が収水部に対して開口可能となり、容器載置部、収水部、およびヒンジは、全てプラスチック素材で一体成型することにより、開口時に洗浄することにより再使用可能となるように構成されことを特徴とするコースターを開示する。
【００１４】
このように構成したコースターでは、従来のコースターと異なりプラスチック素材で一体成型されているので安価に大量生産可能であり、かつ容易に洗浄可能であるので清潔に繰り返して使用可能となる。
【００１５】
更に本願発明に係るコースターでは、容器載置部は、すり鉢状の形状を有し、すり鉢形状の容器載置部には複数個の突起状の容器載置列がすり鉢中央方向に配置されており、突起状の容器載置列と載置される容器を点接触させることにより、コースターと容器が結露水により相互に吸着するのを防止して使い勝手が向上するように構成されたことを特徴とするコースターを開示する。
【００１６】
このように構成したコースターでは、更にコースター自体に結露水が生ずるのを防止することができ、従って従来のコースターに比較して更に、容器とコースターが相互に吸着し難くすることが可能となる。
【００１７】
更に本願発明に係るコースターでは、容器載置部は、すり鉢状の形状を有し寸法の異なる複数個のリング形状の容器載置面、又は平面メッシュ形状の容器載置面で構成し、容器と容器載置面の接触面を線接触させることで、容器内の液体温度の熱伝導ロスを最少化させることが可能となり、更に容器とコースター相互間の吸着力が最小になるように構成されたことを特徴とするコースターを開示する。
【００１８】
このように構成したコースターでは、容器と容器載置面の接触面を線接触させることで、容器内の液体温度の熱伝導ロスを最少化させているので、例えば氷水が入ったグラス等の容器によりコースター自体が冷やされず、従ってコースター自体に結露水が生ずるのを防止することができ、従来のコースターに比較して更に、容器とコースターが相互に吸着し難くすることが可能となる。
【図面の簡単な説明】
【００１９】
【図１】図１は本発明の第１実施例に係るコースター１の構成を示す概観図である。
【図２】図２は、容器載置部の表面形状の詳細を表わした概観図である。
【図３】図３は、他の容器載置部の表面形状の詳細を表わした概観図である。
【図４】図４は、他の容器載置部の表面形状の詳細を表わした概観図である。
【図５】図５は、他の容器載置部の表面形状の詳細を表わした概観図である。
【図６】図６は、本願発明の第２実施例に係るコースター２の構成を示す概観図である。
【図７】図７は、メッシュ単体の構造を示す概観図である。
【図８】図８は、収水部の構造を示す概観図である。
【図９】図９は、他の収水部の構造を示す概観図である。
【図１０】図１０は、本願発明の第３実施例に係るコースター３の構成を示す概観図である。
【発明を実施するための形態】
【００２０】
以下、本願発明の実施の形態を図面を参照して以下詳細に説明する。図１は、本発明の第１実施例に係るコースター１の構成を示す概観図である。このコースター１は、容器載置部１０、および収水部２０により構成されている。容器載置部１０にはグラス等の容器の設置の機能と容器表面に生じた結露水を容器表面より収水部へ導く機能を有する。収水部２０は、結露水の貯留の機能を有する。容器載置部１０と収水部２０は、夫々独立して構成することで分離可能としてもよい。この構成では使用時には収水部２０の上部に容器載置部１０を置き、この容器載置部１０の上に例えば冷水を入れたグラス等の容器を載置するようにこのコースターは用いられる。この場合、容器載置部１０は、収水部２０に対して回動自在に軸支するように構成してもよい。そして使用後の洗浄時には、容器載置部１０と収水部２０は分離または回動させて収水部２０の内面を露出させ洗浄可能である。
【００２１】
容器載置部１０には中央に穴があいており、すり鉢状の表面は階段状の微小な段差や上辺の外縁より中央の穴へ向けて放射線状に収束するように溝が形成してもよい。容器載置部１０と収水部２０の結合方法にかかわらず収水部２０は容器載置部１０との結合をはずせばすぐに収水部に溜まった結露水を捨てられるようなっており、コースター自体はすぐに再利用が可能である。
【００２２】
図２は、グラスと容器載置部１０との間の接触面積を最小とすることを最重要視した第1実施例における容器載置部１０の表面形状の詳細を表わした概観図である。容器載置部１０は、容器載置部で集めたグラス底部の結露水を重力により中央底部へ誘導するために、すり鉢状の表面形状を有し、誘導した結露水を収水部２０へ滴下するための中央排水口１１が空いているものとする。寸法の異なるグラスを最小限の接触面積で定置可能とする階段状の複数個の突起状の容器載置列１２がすり鉢中央方向に配置されており、この突起状の容器載置列１２と載置されるグラス等の容器が点接触させるように構成されている。グラス表面に発生した結露水は複数個の突起状の容器載置列１２を伝わって滴下するが、すり鉢状の表面１３に直接滴下した結露水も中央排水口１１へ導かれる。複数個の突起状の容器載置列１２には、容器の載置の安定性を向上する目的と結露水の表面張力を利用して容器より容器載置部１０へ結露水を吸い寄せる目的で溝１４を形成しても良い。
【００２３】
溝１４を挟んで並ぶ複数個の突起状の容器載置列１２の幅は、一か所当たり５ミリメートル程度になるように形成し、容器の載置時の安定性を確保しつつ容器と複数個の突起状の容器載置列１２が点接触するように構成するのが好ましい。このように容器と複数個の突起状の容器載置列１２の接触面を小さくすることで、容器内の液体温度の熱伝導ロスを最少化することが可能となる。
【００２４】
すり鉢状の表面１３の複数個の突起状の容器載置列１２に対する深さは２ミリメートル以上にし、グラスから流下する結露水と容器載置部１０が完全に分離して収水部２０に落ちるように構成するのが好ましい。すり鉢状の表面１３が浅すぎると結露水が溝に充満し、グラスの底面と付着して、結露水が分離できず、グラスとコースターが相互に吸着してしまう不具合が生ずる。従って、すり鉢状の表面１３は深いほど結露水を分離する効果は高くなるが、すり鉢状の表面１３を深くするには容器載置部１０も厚くする必要があるため、すり鉢状の表面１３の深さはコースター上に載置されるグラスから流下する結露水の容量により適宜選定される。また、すり鉢状の表面１３が深くなるとコースター自体が三次元構造になっているので厚さが増大することによってコースター自体が大きくなりすぎる上に、生産コストもかかってしまうため、すり鉢状の表面１３の深さは適宜選定される。また、溝の形も収水効率が良くなるように適宜選定される。
【００２５】
図３は、グラスと容器載置部１０との間の接触点を増やして容器載置時の安定性を増やすために複数個の突起状の容器載置列１２の数を増やした他の容器載置部１０の表面形状の詳細を表わした概観図である。図２では複数個の突起状の容器載置列１２とすり鉢状の表面１３と溝１４で容器載置部１０の表面は構成されていたが、図３ではすり鉢状の表面１３を省き、容器載置面１５と溝１４で構成している。容器載置面１５および溝１４の数や幅の大きさの具体的な数値は適宜選定するのが好ましい。これにより図２の構成よりも容器載置時の容器の安定性は向上する。
【００２６】
図４は、図２の構成における複数個の突起状の容器載置列１２および溝１４を省き、容器載置部１０の表面をすり鉢状の表面１３のみで構成した他の容器載置部１０の表面形状の詳細を表わした概観図である。コースターと容器載置部１０は容器底部の全周に亘って線接触すると共に、図２のように容器載置部１０に収水した結露水と容器とが分離されるのではなく、結露水の表面張力により容器と容器載置部１０の接触個所に留まる現象が生じる傾向が強いため、結露水を収水部２０へ誘導する機能は低下するが、図２の構成には劣るが図３の構成よりも容器とコースターの接着面積が少なくなり、コースターの温度低下を図２の構成よりも防ぐことができる。他の構成に比べて最も秀でている特徴は、容器載置部１０の表面形状に凹凸が一切存在しないため、容器載置部１０表面の洗浄および乾燥が行い易く、衛生を保つことが容易となる。
【００２７】
図５は、図４の構成の洗浄および乾燥が容易である特徴を受け継ぎながら、容器載置部１０に容器を置いた際の安定性を図４に示す構成よりも向上させる目的で円周状の段差を容器載置部１０の表面に構成した他の容器載置部１０の表面形状の詳細を表わした概観図である。図３に示すような使用後の洗浄および乾燥の点で、他の構成に比べて劣る衛生上の問題点を解決する構成であり、衛生上の観点では図４の構成の構造との中間に相当する。図４の構成に比べると結露水を中央排水口１１を介して収水部２０へ誘導する機能はさらに低下するが、コースター上に載置した状態のコースターの安定性は高まる。中央排水口１１。階段状の段差を経由して結露水を中央排水口１１へ重力によって導く能力の乏しさは、リング状の容器載置部１０の表面形状を中央排水口１１に向けて微小角度傾斜させたり、淵部の角をすべて円弧状に形成することで角部すべてが鋭角な場合に比べてコースターと液体との表面張力を利用して液滴が一段下の段へまとめて落下し易くすることで改善しても良い。
【００２８】
実施例１に係る上記いずれの構成においても、使用するグラス等の容器の底部形状が容器載置部１０に設けた中央排水口１１より小さい場合にもコースターを利用可能とするために、図６に示す第２実施例に係るコースター２に示すようなメッシュ３０を容器載置部１０と収水部２０の間に配置しても良い。このメッシュ３０は網目状になっており、この上にグラス等が載置される。メッシュ３０単体の構造は図７に示す。直接、容器を中央排水口１１より露出するメッシュ部に載置する状態は、引例５の特開平１１−３３２７２１に近いものの、このメッシュ３０も容器載置部１０と同様に、収水部２０に収水された結露水に浸潤しない位置に配置して前記容器載置部を常にドライの状態に保つように構成されている点で機能上異なる。
【００２９】
次に収水部２０の構造を図８に示す。収水部２０は水を溜めておくことが目的であり、長時間放置しても結露水が周りにこぼれない程度に、用途に合わせて結露水などの液体を溜め込んでおけるようにするのが好ましい。なお、図９のように変形も可能で大きさや深さが適宜選定されるのが好ましい。
【００３０】
容器載置部１０と収水部２０は、非吸水性の素材である例えばプラスチックを用い、図１０に示す第３実施例に係るコースター３のように、相互に接する一辺にヒンジ４０を設けて容器載置部１０が収水部２０に対して開口可能となるように一体成型してもよい。またこのように構成することで、開口時に容易に洗浄可能であり、また安価に製造することが可能となる。
【００３１】
以下に示す各種の実施例においても、全ての形状の溝と段差有無や数などは同様に考えられる。
【００３２】
コースター全体の材質としては、陶器、磁器、プラスチック、ゴム、木材、金属、紙、石材など、図１や図６などに示したような形状のものを形成可能な任意の材料を使用可能である。なお紙や金属、プラスチックなどの材料を使用する場合には、軽量化や生産コストの低減などの理由から中空構造、または、中空構造で必要部分以外を除去した形状が好ましい。
【００３３】
加工方法は材料ごとに異なるが、陶器や磁器であれば、粘土をコースターの形状に成形してから焼き上げればよい。また、木材、石材の場合には切削やサンドブラストにより板状部材に溝を形成する。更に金属やプラスチックで一体成型してもよい。またゴム、紙の場合にはプレス、鋳型、切削等により加工してもよい。
【００３４】
以上の応用例以外に、コーヒーカップやティーカップの敷き皿、茶托、とっくりの受け皿 、洗面台のグラス置き皿、ぼんなど、飲用容器の下に敷く受け皿にも本願発明に係るコースターの構成は、応用可能である。
【００３５】
また他の実施例としては、溝あるいは帯状突起部の図案として円弧や直線のみを使った機能性を重視したものを図案化したものを開示したが、直線や円弧などを使って任意の文字や図形を採用可能である。
【産業上の利用可能性】
【００３６】
以上述べたように、本発明に係るコースターにおいては、容器載置部１０の上部表面に溝あるいは複数個の突起状の容器載置列１２を設けたので、上に乗せたグラス等の外壁面に生じた結露水を落下させ、容器載置部１０の下に配置された収水部２０に確実に収水することにより、テーブル上に結露水がこぼれ出ることを防止することが可能となる。また本願発明に係るコースターでは、コースターとグラスが結露水により相互に吸着するのを防止し、使い勝手が向上する。更にまた本願発明に係るコースターを、非吸水性素材で構成することで、洗浄容易で清潔かつ再使用可能なコースターを提供することが可能となる。更にまた本願発明に係るコースターは、プラスチック素材等で一体成型して安価に製造可能となる。
【符号の説明】
【００３７】
１    コースター
１０    容器載置部
２０    収水部
３０    メッシュ
４０    ヒンジ
【図１】
2012196251.tif 000003
【図２】
2012196251.tif 000004
【図３】
2012196251.tif 000005
【図４】
2012196251.tif 000006
【図５】
2012196251.tif 000007
【図６】
2012196251.tif 000008
【図７】
2012196251.tif 000009
【図８】
2012196251.tif 000010
【図９】
2012196251.tif 000011
【図１０】
2012196251.tif 000012
【手続補正書】
【提出日】平成23年12月26日(2011.12.26)
【手続補正１】
【補正対象書類名】特許請求の範囲
【補正対象項目名】全文
【補正方法】変更
【補正の内容】
【特許請求の範囲】
【請求項１】
容器の外壁に生じた結露水を収水するためのコースターにおいて、容器を載置するための容器載置部と、該容器載置部から落下する結露水を収水するために該容器載置部の下に配置された収水部と、前記容器載置部と前記収水部の間に配置されたメッシュとで構成されたコースターであり、前記容器載置部および前記メッシュを前記収水部に収水された結露水には直接浸潤されない高さに配置するように構成され、更に前記容器載置部、前記収水部、および前記メッシュは、相互に着脱自在に構成されたことを特徴とするコースター。
【請求項２】
更に前記容器載置部と該容器載置部の下に配置された前記収水部とを連結するヒンジを設け、該ヒンジにより前記容器載置部が前記収水部に対して開口可能となり、前記容器載置部、前記収水部、および前記ヒンジは、全てプラスチック素材で一体成型することにより、開口時に洗浄して再使用可能となるように構成されことを特徴とする請求項１記載のコースター。
【請求項３】
前記容器載置部は、すり鉢状の形状を有し、該すり鉢形状の容器載置部には複数個の突起状の容器載置列がすり鉢中央方向に配置されており、該突起状の容器載置列と載置される容器を点接触させることにより、該コースターと容器が結露水により相互に吸着するのを防止して使い勝手が向上するように構成されたことを特徴とする請求項１ないし２記載のコースター。
【手続補正２】
【補正対象書類名】明細書
【補正対象項目名】００１１
【補正方法】変更
【補正の内容】
【００１１】
本願発明に係るコースターは、容器の外壁に生じた結露水を収水するためのコースターにおいて、容器を載置するための容器載置部と、該容器載置部から落下する結露水を収水するために該容器載置部の下に配置された収水部と、前記容器載置部と前記収水部の間に配置されたメッシュとで構成されたコースターであり、前記容器載置部および前記メッシュを前記収水部に収水された結露水には直接浸潤されない高さに配置するように構成され、
更に前記容器載置部、前記収水部、および前記メッシュは、相互に着脱自在に構成されたコースターを開示する。